(57)【要約】【課題】使用メモリ量を増加させずに複数のコンテンツをカバーフロー表示できる画像表示装置を提供する。【解決手段】この画像表示装置は、入力される複数の画像データの画像を所定数順次カバーフロー表示する画像表示装置であって、予め設定されたカバーフロー表示手法に従って、画像表示装置におけるカバーフロー表示の進行と同期して更新し、前記入力される複数の画像データから所定数の画像データを選択する画像データ選択部と、前記選択された画像データをデコードするデコード部と、前記デコードされた画像データの解像度を前記カバーフロー表示の態様と同期して解像度を変更してスケーリングするスケーリング部と、前記スケーリング部によりスケーリングされた画像データを記憶する記憶手段を備え、前記記憶手段に記憶された画像データに基づいてカバーフロー表示画像を合成して表示する。【選択図】図３
2010097382.tif 000002
【特許請求の範囲】
【請求項１】
入力される複数の画像データの画像を所定数順次カバーフロー表示する画像表示装置であって、
予め設定されたカバーフロー表示手法に従って、画像表示装置におけるカバーフロー表示の進行と同期して更新し、前記入力される複数の画像データから所定数の画像データを選択する画像データ選択部と、
前記選択された画像データをデコードするデコード部と、
前記デコードされた画像データの解像度を前記カバーフロー表示の態様と同期して解像度を変更してスケーリングするスケーリング部と、
前記スケーリング部によりスケーリングされた画像データを記憶する記憶手段とを備え、
前記記憶手段に記憶された画像データに基づいてカバーフロー表示画像を合成して表示することを特徴とする画像表示装置。
【請求項２】
入力される複数の画像データの画像を所定数順次カバーフロー表示する画像表示装置であって、
予め設定されたカバーフロー表示手法に従って、画像表示装置におけるカバーフロー表示の進行と同期して更新し、前記入力される複数の画像データから所定数の画像データを選択する画像データ選択部と、
前記選択された所定数の画像データの解像度を前記カバーフロー表示の態様と同期して解像度を変更してデコードするデコード部と、
前記デコードされた画像データを記憶する記憶手段とを備え、
前記記憶手段に記憶された画像データに基づいてカバーフロー表示画像を合成して表示することを特徴とする画像表示装置。
【請求項３】
請求項１または２に記載の画像表示装置において、前記画像データ選択部によって選択される所定数の画像データは、前記予め設定された表示手法に従ったカバーフロー表示において画像全体の表示が可能な所定の数であって、全体が表示される画像および表示範囲が増大する画像の画像データであることを特徴とする画像表示装置。
【請求項４】
請求項３に記載の画像表示装置において、前記記憶手段に記憶される画像データの解像度は、カバーフロー表示の態様が前記所定数の画像全体が表示される際の定常状態の解像度に対し、前記所定数＋１の画像が表示されトラジション中の解像度を粗くすることを特徴とする画像表示装置。
【請求項５】
請求項４に記載の画像表示装置において、前記記憶手段に記憶される画像データのうち、カバーフロー表示において表示範囲が減少する画像の画像データは画像全体が表示された最後の定常状態における当該画像データによる静止画像のデータが記憶されることを特徴とする画像表示装置。
【請求項６】
入力される複数の画像データの画像を所定数順次カバーフロー表示する画像表示装置に用いられる画像表示方法であって、
画像データ選択部により、予め設定されたカバーフロー表示手法に従って、画像表示装置におけるカバーフロー表示の進行と同期して更新し、前記入力される複数の画像データから所定数の画像データを選択する画像データ選択ステップと、
デコード部により、前記選択された画像データをデコードするデコードステップと、
スケーリング部により、前記デコードされた画像データの解像度を前記カバーフロー表示の態様と同期して解像度を変更してスケーリングするスケーリングステップと、
前記スケーリングステップにより、スケーリングされた画像データを記憶手段に記憶する記憶ステップとを備え、
前記記憶手段に記憶された画像データに基づいてカバーフロー表示画像を合成して表示することを特徴とする画像表示方法。
【請求項７】
入力される複数の画像データの画像を所定数順次カバーフロー表示する画像表示装置で用いられる画像表示方法であって、
画像データ選択部により、予め設定されたカバーフロー表示手法に従って、画像表示装置におけるカバーフロー表示の進行と同期して更新し、前記入力される複数の画像データから所定数の画像データを選択する画像データ選択ステップと、
デコード部により、前記選択された所定数の画像データの解像度を前記カバーフロー表示の態様と同期して解像度を変更してデコードするデコードステップと、
前記デコードステップにより、デコードされた画像データを記憶手段に記憶する記憶ステップとを備え、
前記記憶手段に記憶された画像データに基づいてカバーフロー表示画像を合成して表示することを特徴とする画像表示方法。
【請求項８】
コンピュータを、請求項１乃至５のいずれかに記載の画像表示装置の各部として機能させるための画像表示プログラム。
【発明の詳細な説明】
【技術分野】
【０００１】
本発明は、画像表示装置、画像表示方法および画像表示プログラムに関し、複数のコンテンツをカバーフロー表示するときの処理メモリを増大させない技術に関する。
【背景技術】
【０００２】
テレビ放送におけるデジタル多チャンネル化が進み、例えば１００チャンネルといったような非常に多くの数のチャンネルが選択対象となるようになった。このため、多くのチャンネルの中から所望のチャンネルを迅速かつ確実に選択することが必要となってきた。
【０００３】
このような多チャンネルに対する番組ガイド方法として次のような方法がある。
【０００４】
（１）グリッドベース一覧表示技術：
各チャンネルの画像を縮小して、１つの画面に複数の縮小画面を形成したマルチ画面を見て、このマルチ画面の中から所望の縮小画面を選択することで、所望のチャンネルを選択する。
【０００５】
（２）カバーフロー表示技術：
各チャンネルの映像を縮小して一列に並べ、その列の縮小画面が移動するように表示して、あたかもアルバムのページをパラパラめくるように表示する。
例えば、図１（Ａ）のように、表示画面に３つのコンテンツの縮小画面が表示され、注目コンテンツ２が中央の縮小画面であったときに、右（左）方向に注目コンテンツの縮小画面を徐々に移動させて、新たな注目コンテンツ３の縮小画面が図１（Ｅ）のように表示させる。表示が図１の（Ａ）から（Ｅ）へ変化する間にコンテンツ１の縮小画面は消えるように表示幅がだんだん小さくなり、その代わり新たなコンテンツ４の縮小画面が徐々に現れるように表示される。
【０００６】
上記のカバーフロー表示技術の例として、特許文献１の映像表示装置では、複数のチャンネルの番組の映像を合成して１つのチャンネルとした映像ストリームを受信し、この映像ストリームをもとの複数のチャンネル１つ１つの映像ストリームに分割して、それぞれを多角柱の側面に投影し、この多角柱を回転させて、視点から見える映像を表示画面へ投影するようにしている。これにより、見た目にわかり易い映像表示ができるようにしている。
【特許文献１】特開２０００−１９６９７１号公報
【発明の開示】
【発明が解決しようとする課題】
【０００７】
上記のグリッドベース一覧表示技術は、表示画面を矩形分割する表示方法を用いており、分割数が増えると分割１つあたりのコンテンツの表示サイズが小さくなって見えにくくなるので、所望のコンテンツを選びにくくなるという問題がある。
【０００８】
一方、カバーフロー表示技術は、表示画面に１度に表示されるコンテンツの数が限定されるので、コンテンツの表示サイズが小さくなることはなく、所望のコンテンツを選びやすい。
【０００９】
しかし、特許文献１のカバーフロー表示技術は、送信側で複数チャンネルの映像を１つのチャンネルの映像に合成して送信し、これを分割して表示に用いるため、必要以上に解像度が低くなるという問題がある。
【００１０】
また、受信した複数のチャンネルから表示に必要なチャンネル分の映像を取り出してカバーフロー表示技術を使う場合、例えば、図１のように出力画像上に合成する画面の数だけ画像を読み出す必要があり、外部メモリに蓄積した画像を処理用の内部メモリへ転送するデータ転送量が多くなるという問題が生じる。
この問題を回避するために従来ではバンド幅の大きい（データ転送効率の高い）メモリを使う必要があり、コストが高くなるという問題が生じる。
【００１１】
また、図１の例では定常時（３コンテンツ表示）よりもトランジション時（４コンテンツ表示）の方が同時に多くのデータを読み出す場合があり、トランジション時に必要な帯域を基準に外部メモリを選定する必要があった。
【００１２】
本発明は、上述の実情を考慮してなされたものであって、使用メモリ量を増加させずに複数のコンテンツをカバーフロー表示できる画像表示装置、画像表示方法および画像表示プログラムを提供することを目的とする。
【課題を解決するための手段】
【００１３】
上記課題を解決するために本発明は次のような構成をとる。
画像表示装置は、入力される複数の画像データの画像を所定数順次カバーフロー表示する画像表示装置であって、予め設定されたカバーフロー表示手法に従って、画像表示装置におけるカバーフロー表示の進行と同期して更新し、前記入力される複数の画像データから所定数の画像データを選択する画像データ選択部と、前記選択された画像データをデコードするデコード部と、前記デコードされた画像データの解像度を前記カバーフロー表示の態様と同期して解像度を変更してスケーリングするスケーリング部と、前記スケーリング部によりスケーリングされた画像データを記憶する記憶手段とを備え、前記記憶手段に記憶された画像データに基づいてカバーフロー表示画像を合成して表示する。
【００１４】
または、画像表示装置は、入力される複数の画像データの画像を所定数順次カバーフロー表示する画像表示装置であって、予め設定されたカバーフロー表示手法に従って、画像表示装置におけるカバーフロー表示の進行と同期して更新し、前記入力される複数の画像データから所定数の画像データを選択する画像データ選択部と、前記選択された所定数の画像データの解像度を前記カバーフロー表示の態様と同期して解像度を変更してデコードするデコード部と、前記デコードされた画像データを記憶する記憶手段とを備え、前記記憶手段に記憶された画像データに基づいてカバーフロー表示画像を合成して表示する。
【００１５】
上記の画像表示装置において、前記画像データ選択部によって選択される所定数の画像データは、前記予め設定された表示手法に従ったカバーフロー表示において画像全体の表示が可能な所定の数であって、全体が表示される画像および表示範囲が増大する画像の画像データである。
【００１６】
前記記憶手段に記憶される画像データの解像度は、カバーフロー表示の態様が前記所定数の画像全体が表示される際の定常状態の解像度に対し、前記所定数＋１の画像が表示されトラジション中の解像度を粗くし、また、カバーフロー表示において表示範囲が減少する画像の画像データは画像全体が表示された最後の定常状態における当該画像データによる静止画像のデータが記憶される。
【００１７】
また、画像表示方法は、入力される複数の画像データの画像を所定数順次カバーフロー表示する画像表示装置に用いられる画像表示方法であって、画像データ選択部により、予め設定されたカバーフロー表示手法に従って、画像表示装置におけるカバーフロー表示の進行と同期して更新し、前記入力される複数の画像データから所定数の画像データを選択する画像データ選択ステップと、デコード部により、前記選択された画像データをデコードするデコードステップと、スケーリング部により、前記デコードされた画像データの解像度を前記カバーフロー表示の態様と同期して解像度を変更してスケーリングするスケーリングステップと、前記スケーリングステップにより、スケーリングされた画像データを記憶手段に記憶する記憶ステップとを備え、前記記憶手段に記憶された画像データに基づいてカバーフロー表示画像を合成して表示する。
【００１８】
または、画像表示方法は、入力される複数の画像データの画像を所定数順次カバーフロー表示する画像表示装置で用いられる画像表示方法であって、画像データ選択部により、予め設定されたカバーフロー表示手法に従って、画像表示装置におけるカバーフロー表示の進行と同期して更新し、前記入力される複数の画像データから所定数の画像データを選択する画像データ選択ステップと、デコード部により、前記選択された所定数の画像データの解像度を前記カバーフロー表示の態様と同期して解像度を変更してデコードするデコードステップと、前記デコードステップにより、デコードされた画像データを記憶手段に記憶する記憶ステップとを備え、前記記憶手段に記憶された画像データに基づいてカバーフロー表示画像を合成して表示する。
【００１９】
また、上記画像表示装置の一部は、コンピュータによって実現されてもよく、この場合には、コンピュータを上記画像表示装置の各部として動作させる画像表示プログラムも、本発明の範疇に入る。
【発明の効果】
【００２０】
本発明によれば、トランジション中に定常状態よりも多くの画像を表示する場合であっても、読み込んだ画像の解像度を変更することにより内部のデータ転送量を定常状態と同様かそれ以下のデータ転送量に保つことができるので、使用メモリ量を増加させずに複数のコンテンツをカバーフロー表示することができる。
【発明を実施するための最良の形態】
【００２１】
以下、図面を参照して本発明の実施形態に係る画像表示装置について説明する。
まず、用語について説明する。
【００２２】
「定常状態」とは、カバーフロー表示において、注目したコンテンツが中央に表示される図１（Ａ）や（Ｅ）のような表示状態をいう。
「トランジション」とは、定常状態から次の定常状態までを何段階かでアニメーションを表示するとき、１つの段階から次の段階へ遷移することをいう。
「トランジション中」とは、定常状態（図１（Ａ））から次の定常状態（図１（Ｅ））の間の１つ１つの表示状態（図１(Ｂ)〜(Ｄ)）が維持されている状態のことをいう。
「トランジション開始」とは、定常状態からトランジション中にすることをいう。
「トランジション終了」とは、トランジション中から定常状態にすることをいう。
「トランジションの方向」とは、トランジション中の表示の進行方向のことをいい、例えば、図１では左方向に進行しているという。
【００２３】
「エフェクト」とは、各トランジションにおける各画面をどのような形態で表示するかという演出された画面効果のことをいう。例えば、「トランジション中」に消えていく映像や現れてくる映像の幅を変化させたり、表示された映像を見る視点を変化させる方法があり、エフェクトの種類として指定する。
以下では、エフェクトの種類を「トランジション中に消えていく映像や現れてくる映像の幅を変化させるもの」として説明する。
【００２４】
例えば、図１のように、４ステップのトランジションで行う場合、各映像の表示部分の幅に対し、各映像の表示幅の１／４ずつ移動するアニメーションを作成する。
１ステップ目では、消えていく映像については、進行方向に対して映像の１／４を削除した残りの３／４の映像を表示し、現れてくる映像については、同様に、進行方向に対して映像の１／４だけを表示する。
２ステップ目では、消えていく映像については、進行方向に対して映像の２／４を削除した残りの２／４の映像を表示し、現れてくる映像については、同様に、進行方向に対して映像の２／４だけを表示する。
３ステップ目では、消えていく映像については、進行方向に対して映像の３／４を削除した残りの１／４の映像を表示し、現れてくる映像については、同様に、進行方向に対して映像の３／４だけを表示する。
４ステップ目には、消えていく映像については表示せず、現れてくる映像については、同様に、映像の全体を表示して、定常状態となる。
【００２５】
＜実施形態１＞
図２は、本実施形態１に係る画像表示装置の機能構成を示すブロック図であり、画像表示装置は、映像入力部１１、セレクタ部（画像データ選択部）１２、デコード部１３、スケーリング部１４、画像合成部２０、制御部１０、出力部３０、外部信号入力部４０とから構成される。
映像入力部１１は、同時に入力される映像ストリームの数（ｎ個）だけ用意され、また、デコード部１３、スケーリング部１４は、カバーフロー表示の定常状態で同時に表示される映像ストリームの数（ｍ個）だけ用意されるが、同じ機能であるから、１つのみ代表して説明する。
また、１個のデコーダで複数の映像ストリームをデコードするとしてもよい。
【００２６】
外部信号入力部４０は、例えば、テレビのリモコンなどの入力装置などから受けた信号のうち、カバーフロー表示に関係あるもののみを選別し、制御信号として制御部１０に出力する。この制御信号としては、カバーフロー表示の開始信号や終了信号、トランジション開始信号やトランジション終了信号、あるいは、コンテンツを選択して本視聴を開始する指示であるコンテンツ選択信号等がある。
【００２７】
制御部１０は、当該画像表示装置の全体の処理の流れを制御し、特に、外部信号入力部４０から入力された制御信号をスケーリング部１４および画像合成部２０へ供給する。
また、制御部１０は、カバーフロー表示が開始されると、カバーフロー表示に使われる映像ストリームを選択する選択信号をセレクタ部１２へ送信する。
【００２８】
映像入力部１１は、Ｈ.２６４やＭｐｅｇなどの動画像圧縮技術により構成され、映像ストリームを入力し、セレクタ部１２に供給する。
セレクタ部１２は、制御部１０からの選択信号に応じて、複数ある映像入力部１１からカバーフロー表示に必要な所定数の映像ストリームを選択して、各デコード部１３に対して供給する。ここでカバーフロー表示に必要な映像ストリームは、全体が表示される映像ストリームと表示範囲が増大する映像ストリームである。
デコード部１３は、セレクタ部１２で選択された映像ストリームを上記動画像圧縮技術によりデコードした画像を逐次スケーリング部１４に供給する。
【００２９】
次に、スケーリング部１４について説明する。
例えば、図１（Ａ）のように定常状態で３つの映像ストリームが表示されている場合には、トランジション中には図１（Ｂ）から（Ｄ）のように４つの映像ストリームが表示されることになる。このため、画像合成部２０で行われる画像処理のために使用されるメモリ量が増加する。
【００３０】
しかし、カバーフロー表示のように、トランジション中に複数の縮小された映像が移動表示されるような場合、視聴者は縮小された映像の内容を詳細に視聴することはない。
したがって、トランジション中には所定のレベルまで解像度を落とした映像を表示したとしても、十分高速に移動させたとき（例えば、６０Ｈｚのテレビ画面において３０フレームで画面中央から左に移動するなど）には、解像度の差まで認知することができないと思われる。
【００３１】
本発明では、この性質を利用して、スケーリング部１４で映像ストリームの画像の解像度を減らすことによって、画像合成部２０で行われる画像処理のために使用されるメモリ量を少なくする。
【００３２】
スケーリング部１４は、制御部１０からのトランジションの開始信号に基づき、デコード部１３から受け取ったデコード済み画像に対し、カバーフローの表示状態が定常状態のときには、定常状態の所定の解像度でスケーリングを行い、カバーフローの表示状態がトランジション中のときにはトランジション中の所定の解像度（例えば、定常状態の解像度の半分）でスケーリングを行って、画像合成部２０へ出力する。この解像度変換は、１画面単位（テレビ等の場合、前段からのＶＳｙｎｃ信号単位が１画面単位と同じとなる）で実行される。
また、選択されたコンテンツを本視聴している場合などで解像度変換が不要な場合には、処理を行わず（スルー出力）に画像合成部２０に出力する。
【００３３】
次に、画像合成部２０は、制御部１０からのトランジション開始信号に基づき、スケーリング部１４で解像度変換された画像をトランジション中の各ステップの表示状態にあわせた画像に変換し、定常状態の場合には規定の位置に画像を合成して、カバーフロー表示用の画像を生成し、出力部３０へ出力する。
また、コンテンツを本視聴している場合などでは、処理を行わず（スルー出力）に出力部３０に出力する。
【００３４】
出力部３０は、受け取った合成画像を画像の色補正を行う装置や、液晶パネル等の駆動部へ出力する。
【００３５】
次に、画像合成部２０について詳述する。
図３は、画像合成部２０の詳細な機能構成図であり、同図において、画像合成部２０は、進行度設定部２１、メモリ制御部２２、合成部２３、外部メモリ２４、内部メモリ２５から構成されている。
【００３６】
外部メモリ２５は、各映像ストリームをデコードし、スケーリング部１４にて解像度変換された画像を蓄積するメモリであり、少なくともカバーフロー表示される所定数の定常状態の画像を格納できるサイズの２倍を確保する。
内部メモリ２５は、外部メモリ２４に蓄積した画像の一部が転送されて蓄積されるメモリであり、カバーフロー表示用の画像を作成する画像処理に用いる。
【００３７】
進行度設定部２１は、制御部１０からトランジション開始信号を受け取ると、画面の移動を０％（開始状態）に設定し、画面の移動が０％（または１００％）のときは、カバーフロー表示の表示状態を定常状態に設定し、それ以外のときにはカバーフロー表示の表示状態をトランジション中に設定し、メモリに記憶させる。
【００３８】
トランジション中の進行度は、トランジションのステップ数がどのステップまで進んだかを割合（％）で算出し、メモリに記憶しておく。図１の場合には、ある定常状態から４ステップで次の定常状態となるので、図１（Ｂ）の時点では、進行度が１／４＝２５％、図１（Ｃ）の時点では、進行度が２／４＝５０％、図１（Ｄ）の時点では、進行度が３／４＝７５％、図１（Ｅ）の時点では、進行度が４／４＝１００％となる。進行度が１００％となった場合には、定常状態になったので進行度を０％に再設定する。
【００３９】
メモリ制御部２２は、カバーフロー表示の表示状態が定常状態かトランジション中かに依存し、スケーリング部１４と同期して、外部メモリ２４の読み出し領域、書き込み領域を変更して動作する。
メモリ制御部２２は、スケーリング部１４で解像度変換された画像が供給されると、映像ストリームごとに外部メモリ２４上に書き込み制御を行い、読み出し可能なタイミングで外部メモリ２４から内部メモリ２５へデータ転送する。
【００４０】
次に、メモリ制御方法について例を使って説明する。
図４は、メモリ制御部２２の動作例を示すための外部メモリ２４の模式図である。図４（Ａ）は、外部メモリ２４の記録領域のうち画像を蓄積する記録領域を示しているものである。
【００４１】
（１）カバーフロー表示の表示状態が定常状態のとき：
図１（Ａ）のように、定常状態で３つの映像ストリームを表示させるためには、例えば、図４（Ｂ）のように６分割し、領域１、３、５の各領域にスケーリング部１４からの３ストリーム分の画像を各々記録する。３ストリームの次のフレームに対しては、領域２、４、６の各領域に記録する。
この分割は、カバーフロー表示の表示状態が定常状態のときに、スケーリング部１４で解像度変換によって設定された所定の画像サイズで分割することになる。
【００４２】
即ち、図５に示すように、時刻Ｔに領域１，３，５の領域に記録された画像は時刻（Ｔ＋１）に読み出し可能であり、その読み出した画像は内部メモリ２５に転送されて画像合成に用いる。一方、領域２，４，６には、時刻（Ｔ＋１）に画像が記録される。
時刻（Ｔ＋１）に領域２，４，６の領域に記録された画像は時刻（Ｔ＋２）に読み出し可能であり、その読み出した画像は内部メモリ２５に転送されて画像合成に用いる。一方、領域１，３，５には、時刻（Ｔ＋２）に画像が記録される。以下、同様に領域を交代させて読み込みおよび書き込みが行われる。
このように、同時刻での書き込み領域と読み出し領域を分離することで、外部メモリ２４内の同一アドレスへの読み書きを防ぐことができる。
【００４３】
メモリ制御部２２は、スケーリング部１４から供給されて外部メモリ２４に書き込みが行われ、読み出し可能になった外部メモリ２４の内容を内部メモリ２５へデータ転送する。
例えば、図７（Ａ）に示すように、外部メモリ２４の領域１，３，５が読み取り可能になったときには、これらの領域の内容が内部メモリ２５へ転送される。
【００４４】
（２）カバーフロー表示の表示状態がトランジション中のとき：
図１（Ｂ）〜（Ｄ）のように、トランジション中の４つの映像ストリームを表示させるためには、上記のように外部メモリ２４を分割するとメモリ量が不足してしまう。
本実施形態では、図１（Ａ）の画像１のようにトランジションにより見えなくなる映像については静止画（定常状態の最後フレームの画像）を用い、使われていたデコード部１３およびスケーリング部１４を、新たに表示される映像ストリームに使わせる。
【００４５】
上記のようにカバーフロー表示の対象の映像ストリームを選択するように、制御部１０は、カバーフロー表示の表示状態が定常状態からトランジション中へ変ることに同期して、見えなくなる映像ストリームの選択の替わりに、新しく表示される映像ストリームを選択するようにセレクタ部１２に選択信号を送信する。
【００４６】
このようにして得た３つの映像ストリームの画像２乃至４については、静止画像を記憶している領域以外を図４（Ｃ）または（Ｄ）のように６分割して用いる。
この分割には、カバーフロー表示の表示状態がトランジション中のときに、スケーリング部１４で解像度変換によって設定された画像サイズ（定常状態の画像サイズの１／２）で分割することになる。
【００４７】
この静止画の領域は、定常状態からトランジション中に変化したときに、消える画像を記憶していた領域がいずれにあったかによって、図４（Ｃ）や（Ｄ）のような場所に確保され、その静止画領域は書き込み禁止領域となる。
【００４８】
例えば、図１（Ａ）の画像１が図４（Ｂ）の領域１に記憶されていた場合には、この領域１を静止画領域とし、トランジション中の他の３つのストリームの画像は図４（Ｃ）のように６分割され、これらの領域１〜６は、図６に示したように各フレームの読み込み時刻にあわせて読み書きされる。
メモリ制御部２２は、読み出し可能になった外部メモリ２４の内容を内部メモリ２５へデータ転送する。例えば、図７（Ｂ）に示すように、外部メモリ２４の静止画領域、領域１，３，５が読み取り可能になったときには、これらの領域の内容が内部メモリ２５へ転送される。
【００４９】
また、図１（Ａ）の画像１が図４（Ｂ）の領域４に記憶されていた場合には、この領域４を静止画領域とし、トランジション中の３つのストリームの画像は図４（Ｄ）のように６分割され、これらの領域１〜６は、図６に示したように各フレームの読み込み時刻にあわせて読み書きされる。このとき、図４（Ｄ）のように静止画領域によって、新たに分割した領域（領域４）が分断されるときには、これに対応する領域（領域３）も同じサイズで分断するものとする。
【００５０】
メモリ制御部２２は、読み出し可能になった外部メモリ２４の内容を内部メモリ２５へデータ転送する。例えば、図７（Ｃ）に示すように、外部メモリ２４の静止画領域、領域２，４（４ａ，４ｂ），６が読み取り可能になったときには、静止画領域を先頭に、分断された領域４（４ａ，４ｂ）は連結されて内部メモリ２５へ転送される。
【００５１】
トランジションが終了し、定常状態に戻った場合、画像の転送が終わった領域から適宜、図４（Ｂ）の分割状態に戻して、スケーリング部１４から画像を記録していく。
【００５２】
合成部２３は、トランジションの進行により進行度設定部２１の進行度を更新するとともに、定常状態から次の定常状態までのカバーフロー表示の画面を合成して出力部３０に出力する。
【００５３】
このカバーフロー表示の画面は、転送された定常状態またはトランジション中にある各画像が記憶されている内部メモリ２５のアドレスに基づいて、内部メモリ２５からピクセル情報を取得し、このピクセル情報に基づいて、トランジションの進行に同期してエフェクト種類に対応した各画像の変形画像を生成して、進行度に対応した規定の位置に各画像をはめ込んだ形の画面を合成して生成する。
【００５４】
また、上記の画像合成は、一画面単位で出力してもよいが、この場合には出力画像を蓄積するバッファが必要となる。
【００５５】
上記の説明では、図１のように入力映像ストリームが３系統の場合を例にして説明したが、以下、入力映像ストリームがｎ（ｎ＞１）系統の場合について説明する。
図８（Ａ）に示すようにｎ系統のコンテンツの表示領域を移動させると、（ｎ＋１）個の表示領域が必要となる。（ｎ＋１）個の表示領域のうち（ｎ−１）個はトランジション前後で同じコンテンツ（入力ソース）を表示する領域（図８中の２からｎの領域）であり、１つは動画の更新を止めたことによる静止画を表示する領域（図８の１の領域）である。残りの１個の表示領域（図８の（ｎ＋１）の領域）には新たに表示されるコンテンツを前述の動画更新を止めた入力系統を用いて行う。
【００５６】
このような場合、外部メモリの分割は上記図４と同様に行えばよい。即ち、定常状態のときには、表示領域がｎ個あるときには、２×ｎ個に分割した領域を用いる。
トランジション中のときには、静止画領域以外の２×（ｎ−１）の領域を２×ｎ個に分割して用いる。
このようにすることによって、入力映像ストリームが何系統あったとしても、同様に動画像および静止画を用いてカバーフロー表示のトランジションを行うことができる。
【００５７】
次に、カバーフロー表示の開始から終了までの制御部１０の動作について説明する。
図９は、カバーフロー表示の開始の指示がなされ、終了指示がなされるまでの制御信号を入力したときの処理手順を示すフローチャートである。
【００５８】
外部信号入力部４０から制御信号が入力されないときには（ステップＳ１でＮＯ）、スケーリング部１４および画像合成部２０に対し、解像度変換なしの指示を送り（ステップＳ２）、次の制御信号の入力を待つ。
【００５９】
制御信号が入力され（ステップＳ１でＹＥＳ）、制御信号がカバーフロー表示の開始指示の場合（ステップＳ３でＹＥＳ）、カバーフロー表示の表示状態を定常状態に設定してメモリに記憶し、スケーリング部１４および画像合成部２０に対して、解像度変換ありの指示を送り（ステップＳ４）、次の制御信号の入力を待つ。
【００６０】
制御信号がカバーフロー表示の開始指示でない場合（ステップＳ３でＮＯ）、カバーフロー表示中でなければ（ステップＳ５でＮＯ）、次の制御信号の入力を待つ。
一方、カバーフロー表示中であれば（ステップＳ５でＹＥＳ）、制御信号がトランジションの開始指示であれば（ステップＳ６でＹＥＳ）、ステップＳ９へ進む。
【００６１】
しかし、制御信号がトランジションの開始指示でなく（ステップＳ６でＮＯ）、カバーフロー表示の終了指示であれば（ステップＳ７でＹＥＳ）、カバーフロー表示を終了する。
他方、カバーフロー表示の終了指示でなく（ステップＳ７でＮＯ）、制御信号がコンテンツ選択信号でもないときには（ステップＳ８でＮＯ）、次の制御信号の入力を待つ。
しかし、制御信号がコンテンツ選択信号ときには（ステップＳ８でＹＥＳ）、カバーフロー表示を終了する。
【００６２】
次に、カバーフロー表示の表示状態が定常状態ならば（ステップＳ９でＹＥＳ）、表示状態をトランジション中としてメモリを更新し（ステップＳ１０）、ステップＳ１１へ進む。
一方、カバーフロー表示の表示状態がトランジション中ならば（ステップＳ９でＮＯ）、取得した制御信号を無視してステップＳ１１へ進む。
【００６３】
カバーフロー表示の進行度を画像合成部２０から取得し（ステップＳ１１）、進行度が１００％未満のとき（ステップＳ１２でＹＥＳ）、表示状態をトランジション中に保ち、次の制御信号の入力を待つ。
一方、取得した進行度が１００％になったとき（ステップＳ１２でＮＯ）、カバーフロー表示の表示状態を定常状態にしてメモリを更新し（ステップＳ１３）、次の制御信号の入力を待つ。
【００６４】
＜実施形態２＞
実施形態１は、スケーリング部によって解像度を変換していたが、このメリットとしては任意の解像度にスケーリングできる点にある。
本実施形態２は、スケーリング部を使用せず、所定の解像度に切り替える機能を有するデコーダを用いるものである。
【００６５】
図１０は、実施形態２に係る画像表示装置の機能構成を示すブロック図であり、画像表示装置は、映像入力部１１、セレクタ部（画像データ選択部）１２、デコード部１３、画像合成部２０、制御部１０、出力部３０、外部信号入力部４０とから構成される。図１０中、図２と同一の符号を付した部分は同一の機能を表わしている。
【００６６】
本実施形態２のデコード部１３は、映像入力部１１から入力され、セレクタ部１２で選択された映像ストリームをデコードした後、制御部１０から送られたトランジション開始信号を受信して、解像度変換を行い、解像度変更後の画像を画像合成部２０へ出力する。
このデコード部１３における解像度変換は、所定の倍率にのみ変換可能である点が実施形態１の場合と異なる。
【００６７】
また、上述の実施形態１，２は、最初に指定したときの表示方向でカバーフロー表示するものとして説明した。
しかし、このカバーフロー表示の表示方向を途中から逆転するように外部信号入力部４０から指定するようにしても構わない。
【００６８】
この場合には、カバーフロー表示か行われている間に、新たなトランジション開始信号が指定されると、既に設定されている方向と逆向きか否かを判定して、逆向きの場合には画像合成部２０の進行度を、例えば、現在の進行度がｘ％のとき、（１００−ｘ）％に再設定し、トランジションによる表示画像を逆の方向になるようにする。
【００６９】
尚、本発明は上述した実施形態に限定されず、本発明の要旨を逸脱しない範囲内で各種の変形、修正が可能であるのは勿論である。
例えば、エフェクトをトランジションのステップ数に応じた画像の幅だけ隠すようにして表示するのではなく、トランジション中の映像は奥行きをずらし、定常状態の映像はずらさないように表示するものとしてもよい。
【００７０】
また、上記の実施形態ではコンテンツを動画像として説明したが、ＪＰＥＧやＧＩＦ、Ｂｉｔｍａｐなどの静止画像としても同様に効果がある。即ち、デコード部が各フォーマットに対応さえしていれば、カバーフロー表示が表示可能となる。
【００７１】
また、上記画像表示装置の一部は、コンピュータによって実現されてもよく、この場合には、コンピュータを上記画像表示装置の制御部、セレクタ部、スケーリング部および画像合成部（合成部、進行度設定部、メモリ制御部）として動作させる画像表示プログラムも本発明の範疇に入る。
【図面の簡単な説明】
【００７２】
【図１】カバーフロー表示におけるトランジションの状態を説明する図である。
【図２】実施形態１に係る画像表示装置の機能構成を示すブロック図である。
【図３】画像合成部の詳細な機能構成図である。
【図４】メモリ制御部の動作例を示すための外部メモリの模式図である。
【図５】定常状態のときの外部メモリの読み書き状態を時刻単位に示した図である。
【図６】トランジション中のときの外部メモリの読み書き状態を時刻単位に示した図である。
【図７】外部メモリと内部メモリとの関連を説明する図である。
【図８】ｎ系統の映像入力を用いたカバーフロー表示を説明する図である。
【図９】カバーフロー表示の開始の指示がなされ、終了指示がなされるまでの制御信号を入力したときの処理手順を示すフローチャートである。
【図１０】実施形態２に係る画像表示装置の機能構成を示すブロック図である。
【符号の説明】
【００７３】
１０…制御部、１１…映像入力部、１２…セレクタ部（画像データ選択部）、１３…デコード部、１４…スケーリング部、２０…画像合成部、２１…進行度設定部、２２…メモリ制御部、２３…合成部、２４…外部メモリ、２５…内部メモリ、３０…出力部、４０…外部信号入力部。
【図１】
2010097382.tif 000003
【図２】
2010097382.tif 000004
【図３】
2010097382.tif 000005
【図４】
2010097382.tif 000006
【図５】
2010097382.tif 000007
【図６】
2010097382.tif 000008
【図７】
2010097382.tif 000009
【図８】
2010097382.tif 000010
【図９】
2010097382.tif 000011
【図１０】
2010097382.tif 000012